(57)【要約】【課題】電源コード等の検査ラインにおいて、電源コードのようなコード類に内蔵されている電力線の断線を比較的容易に確認することが可能な電源コード、電源コード検査装置及び電源コード検査方法を提供する。【解決手段】コンセント又はプラグに接続可能な電極と、電極に接続される電力線と、電極間を接続したとき、電力線の断線又は電力線間のショートにより、無線通信が有効又は無効のいずれかの通信状態となるように、電力線に設けられたＲＦＩＤタグと、を備えていることを特徴とする電源コードである。【選択図】      図１
2005050581.tif 000002
【特許請求の範囲】
【請求項１】
コンセント又はプラグに接続可能な電極と、
前記電極に接続される電力線と、
前記電極間を接続したとき、前記電力線の断線又は前記電力線間のショートにより、無線通信が無効となるように、前記電力線に設けられたＲＦＩＤタグと、を備えていることを特徴とする電源コード。
【請求項２】
前記ＲＦＩＤタグは、
前記電力線の一部を、前記無線通信に使用するアンテナとして形成することを特徴とする請求項１に記載の電源コード。
【請求項３】
前記ＲＦＩＤタグは、
無線通信によって受信した動作の確認要求に基づいて、前記確認要求に対する応答送信することを特徴とする請求項１又は２に記載の電源コード。
【請求項４】
前記電力線の断線又は前記電力線間のショートが存在するか否かを表示する表示器と、
前記ＲＦＩＤタグの周波数帯域とは異なる周波数帯域の無線通信によって受信した表示要求に基づいて、前記表示器を制御する前記ＲＦＩＤタグとは異なる表示用のＲＦＩＤタグと、
を更に備えていることを特徴とする請求項１乃至３のいずれか１項に記載の電源コード。
【請求項５】
前記表示器は、
表示部分に電気泳動素子を利用していることを特徴とする請求項４に記載の電源コード。
【請求項６】
前記ＲＦＩＤタグは、
強誘電体メモリを備えていることを特徴とする請求項１乃至５のいずれか１項に記載の電源コード。
【請求項７】
請求項１乃至６のいずれか１項に記載の電源コードと、前記電源コードに内蔵されている電力線の状態を判定する状態判定手段とを備えている電源コード検査装置であって、
前記状態判定手段は、前記ＲＦＩＤタグの通信状態に応じて、前記電源コードに、前記電力線の断線又は前記電力線間のショートが存在しているか否かを判定することを特徴する電源コード検査装置。
【請求項８】
前記状態判定手段は、
前記ＲＦＩＤタグへ、前記電力線の断線又は前記電力線間のショートが存在しているか否かを判定するための動作の確認要求を実行し、前記確認要求に対する前記ＲＦＩＤタグからの応答の有無を監視する応答監視手段と、
前記確認要求に対する前記ＲＦＩＤタグからの応答がないとき、前記電源コードに前記電力線の断線又は前記電力線間のショートが存在していると認識する状態認識手段と、
を備えていることを特徴とする請求項７に記載の電源コード検査装置。
【請求項９】
請求項４又は５に記載の電源コードと、前記電源コードに内蔵されている電力線の状態を判定する状態判定手段とを備えている電源コード検査装置であって、
前記状態判定手段は、
前記ＲＦＩＤタグへ、前記電力線の断線又は前記電力線間のショートが存在しているか否かを判定するための動作の確認要求を実行し、前記確認要求に対する前記ＲＦＩＤタグからの応答の有無を監視する応答監視手段と、
前記確認要求に対する前記ＲＦＩＤタグからの応答がないとき、前記電源コードに前記電力線の断線又は前記電力線間のショートが存在していると認識する状態認識手段と、
前記電源コードに前記記電力線の断線又は前記電力線間のショートが存在しているか否かを判定した結果を前記表示器に表示させるための表示要求を、前記表示用のＲＦＩＤタグへ、実行する表示要求手段と、
を備えていることを特徴とする電源コード検査装置。
【請求項１０】
前記状態判定手段は、
強誘電体メモリを備えていることを特徴とする請求項７乃至９のいずれか１項に記載の電源コード検査装置。
【請求項１１】
請求項１乃至６のいずれか１項に記載の電源コードを検査する電源コード検査方法であって、
前記電源コードの前記電極間を接続する工程と、
前記電源コードの前記ＲＦＩＤタグへ、動作の確認要求をする工程と、
前記確認要求に対する前記ＲＦＩＤタグからの応答の有無に応じて、前記電源コードに、前記電力線の断線又は前記電力線間のショートが存在しているか否かを判定する工程と、
前記電力線の断線又は前記電力線間のショートが存在している前記電源コードと、前記電力線の断線又は前記電力線間のショートが存在していない前記電源コードとを、判別する工程と、
を備えていることを特徴とする電源コード検査方法。
【発明の詳細な説明】
【０００１】
【発明の属する技術分野】
本発明は、電源コード、電源コード検査装置及び電源コード検査方法に関する。特に、電源コード等の検査ラインにおいて、電源コードのようなコード類に内蔵されている電力線の断線又は電力線間のショートを比較的容易に確認することが可能な電源コード、電源コード検査装置及び電源コード検査方法に関する。
【０００２】
【従来の技術】
従来、電源コードのようなコード類において、内蔵されている電力線の断線や電力線間のショートを確認するには、テスタを利用したり、コードを介して電力を供給したときの動作確認を実施したりして、確認していた。
特許文献１に記載の発明では、ＡＣアダプタ本体から導出した出力コードの先端に備えたＡＣアダプタの出力プラグにおいて、出力コードに接続した発光部と発光回路を設けることにより、ＡＣアダプタが正常に作動しているときは、発光回路に電力が供給されて、発光部が発光し、ＡＣアダプタ本体の故障や出力コードの断線等の異常が発生したときは、発光回路に電力が供給されず、発光部が発光しないような構成が提案されている。
【０００３】
【特許文献１】
実開平５−４８２５８号公報
【０００４】
【発明が解決しようとする課題】
しかしながら、特許文献１に記載の発明では、電力供給されることにより発光部が発光することから、ＡＣアダプタの検査においては、ＡＣアダプタに備えられている電源プラグを、実際にコンセントへ差し込むという作業をしなければ、ＡＣアダプタ本体の故障や出力コードの断線、ショート等の異常が発生しているか否かを確認することができなかった。また、異常発生の確認作業には、１個づつ電源プラグをコンセントに差し込む等の作業が必要であり、確認作業に時間がかかってしまうという問題点があった。
【０００５】
本発明は、以上のような問題点を解決するためになされたもので、電源コード等の検査ラインにおいて、電源コードのようなコード類に内蔵されている電力線の断線を比較的容易に確認することが可能な電源コード、電源コード検査装置及び電源コード検査方法を提供することを目的とする。
【０００６】
【課題を解決するための手段】
上述した従来の問題点を解決すべく下記の発明を提供する。
［発明１］
発明１は、電極に接続される電力線と、前記電極間を接続したとき、前記電力線の断線又は前記電力線間のショートにより、無線通信が無効となるように、前記電力線に設けられたＲＦＩＤタグと、を備えていることを特徴とする電源コードである。
【０００７】
このような構成であれば、電源コードに電力線の断線又は電力線間のショートが存在しているとき、電極間を接続すると、ＲＦＩＤタグの無線通信が有効又は無効のいずれかの通信状態となる。
これにより、ＲＦＩＤタグとの通信状態に応じて、電力線の断線又は電力線間のショートが存在している電源コードを比較的容易に認識することができる。従って、電力線の断線又は電力線間のショートが存在していると認識した電源コードを検査ラインから取り除くことができる。また、検査員等が、電力線に電力を供給するために電源プラグをコンセントへ差し込む等の作業をする必要がないことから、電源コードの検査作業にかかる時間を低減させることができる。
［発明２］
発明２は、発明１において、前記ＲＦＩＤタグは、前記電力線の一部を、前記無線通信に使用するアンテナとして形成することを特徴とする電源コードである。
【０００８】
これにより、電力線が断線しているとき、電極を接続すると、アンテナが無効となり、通信状態の無効の電源コードを、不具合の存在する電源コードとして比較的容易に認識することができる。また、電力線間にショートが発生しているとき、電極を接続すると、アンテナの共振素子のインダクタンスが変化し、アンテナの共振周波数が変化する。このアンテナの共振周波数の変化により、通信可能であった周波数が通信不可能な周波数となることから、通信状態に応じて、電源コードを不具合の存在する電源コードとして比較的容易に認識することができる。
［発明３］
発明３は、発明１又は２において、前記ＲＦＩＤタグは、無線通信によって受信した動作の確認要求に基づいて、前記確認要求に対する応答送信することを特徴とする電源コードである。
【０００９】
これにより、動作の確認要求に対する応答のない電源コードを、電力線の不具合が存在する電源コードとして比較的容易に認識することができる。
［発明４］
発明４は、発明１乃至３のいずれか１つにおいて、前記電力線の断線又は前記電力線間のショートが存在するか否かを表示する表示器と、前記ＲＦＩＤタグの周波数帯域とは異なる周波数帯域の無線通信によって受信した表示要求に基づいて、前記表示器を制御する前記ＲＦＩＤタグとは異なる表示用のＲＦＩＤタグと、を更に備えていることを特徴とする電源コードである。
【００１０】
このような構成であれば、ＲＦＩＤタグの周波数帯域とは異なる周波数帯域の無線通信によって受信した表示要求に基づいて、ＲＦＩＤタグとは異なる表示用のＲＦＩＤタグによって、電力線の断線又は電力線間のショートが存在するか否かを表示器に表示する制御が実行される。
これにより、表示器の表示を見れば、電力線の断線又は電力線間のショートが存在している電源コードを、検査員等が認識することができる。
［発明５］
発明５は、発明４において、前記表示器は、表示部分に電気泳動素子を利用していることを特徴とする電源コードである。
【００１１】
これにより、検査員等は、視覚により、電力線の断線又は電力線間のショートが存在することを認識することができる。
［発明６］
発明６は、発明１乃至５のいずれか１つにおいて、前記ＲＦＩＤタグは、強誘電体メモリを備えていることを特徴とする電源コードである。
［発明７］
発明７は、発明１乃至６のいずれか１つに記載の電源コードと、前記電源コードに内蔵されている電力線の状態を判定する状態判定手段とを備えている電源コード検査装置であって、前記状態判定手段は、前記ＲＦＩＤタグの通信状態に応じて、前記電源コードに、前記電力線の断線又は前記電力線間のショートが存在しているか否かを判定することを特徴する電源コード検査装置である。
【００１２】
このような構成であれば、電源コードに電力線の断線又は電力線間のショートが存在しているとき、電極間を接続すると、ＲＦＩＤタグの通信状態が有効又は無効のいずれかの通信状態となるので、断線判定手段によって、ＲＦＩＤタグとの通信状態に応じて、電源コードに電力線の断線又は電力線間のショートが存在しているか否かが判定される。
【００１３】
これにより、ＲＦＩＤタグとの通信状態に応じて、電力線の断線又は電力線間のショートが存在している電源コードを比較的容易に認識することができる。従って、電力線の断線又は電力線間のショートが存在していると認識した電源コードを検査ラインから取り除くことができる。また、検査員等が、電力線に電力を供給するために電源プラグをコンセントへ差し込む等の作業をする必要がないことから、電源コードの検査作業にかかる時間を低減させることができる。
［発明８］
発明８は、発明７において、前記状態判定手段は、前記ＲＦＩＤタグへ、前記電力線の断線又は前記電力線間のショートが存在しているか否かを判定するための動作の確認要求を実行し、前記確認要求に対する前記ＲＦＩＤタグからの応答の有無を監視する応答監視手段と、前記確認要求に対する前記ＲＦＩＤタグからの応答がないとき、前記電源コードに前記電力線の断線又は前記電力線間のショートが存在していると認識する状態認識手段と、を備えていることを特徴とする電源コード検査装置である。
【００１４】
このような構成であれば、応答監視手段によって、ＲＦＩＤタグへ、電力線の断線又は電力線間のショートが存在しているか否かを判定するための動作の確認要求が実行され、確認要求に対するＲＦＩＤタグからの応答の有無が監視される。また、状態認識手段によって、確認要求に対するＲＦＩＤタグからの応答がないとき、電源コードに電力線の断線又は電力線間のショートが存在していることが認識される。
【００１５】
これにより、電力線の断線又は電力線間のショートが存在している電源コードを比較的容易に認識することができる。従って、電力線の断線又は電力線間のショートが存在していると認識した電源コードを検査ラインから取り除くことができる。
［発明９］
発明９は、発明４又は５に記載の電源コードと、前記電源コードに内蔵されている電力線の状態を判定する状態判定手段とを備えている電源コード検査装置であって、前記状態判定手段は、前記ＲＦＩＤタグへ、前記電力線の断線又は前記電力線間のショートが存在しているか否かを判定するための動作の確認要求を実行し、前記確認要求に対する前記ＲＦＩＤタグからの応答の有無を監視する応答監視手段と、前記確認要求に対する前記ＲＦＩＤタグからの応答がないとき、前記電源コードに前記電力線の断線又は前記電力線間のショートが存在していると認識する状態認識手段と、前記電源コードに前記記電力線の断線又は前記電力線間のショートが存在しているか否かを判定した結果を前記表示器に表示させるための表示要求を、前記表示用のＲＦＩＤタグへ、実行する表示要求手段と、を備えていることを特徴とする電源コード検査装置である。
【００１６】
このような構成であれば、応答監視手段によって、ＲＦＩＤタグへ、電力線の断線又は電力線間のショートが存在しているか否かを判定するための動作の確認要求が実行され、確認要求に対するＲＦＩＤタグからの応答の有無が監視される。また、状態認識手段によって、確認要求に対するＲＦＩＤタグからの応答がないとき、電源コードに電力線の断線又は電力線間のショートが存在していることが認識される。また、表示要求手段によって、電源コードに電力線の断線又は電力線間のショートが存在しているか否かを判定した結果を表示器に表示させるための表示要求が実行される。
【００１７】
これにより、表示器の表示を見れば、電力線の断線又は電力線間のショートが存在している電源コードを、検査員等が認識することができる。
［発明１０］
発明１０は、発明７乃至９のいずれか１つにおいて、前記状態判定手段は、強誘電体メモリを備えていることを特徴とする電源コード検査装置である。
［発明１１］
発明１１は、発明１乃至６のいずれか１項に記載の電源コードを検査する電源コード検査方法であって、前記電源コードの前記電極間を接続する工程と、前記電源コードの前記ＲＦＩＤタグへ、動作の確認要求をする工程と、前記確認要求に対する前記ＲＦＩＤタグからの応答の有無に応じて、前記電源コードに、前記電力線の断線又は前記電力線間のショートが存在しているか否かを判定する工程と、前記電力線の断線又は前記電力線間のショートが存在している前記電源コードと、前記電力線の断線又は前記電力線間のショートが存在していない前記電源コードとを、判別する工程と、を備えていることを特徴とする電源コード検査方法である。
【００１８】
これにより、発明７に記載の電源コード検査装置と同等の効果が得られる。
【００１９】
【発明の実施の形態】
この発明の一実施態様を、図面を参照しながら説明する。
図１は、電源コードと質問器とのＲＦＩＤを利用した通信を用いた電源コード検査装置の概念図の一例である。
電源コード検査装置１００は、質問器１０２と電源コード１０４とを備えている。無線通信によりデータ交信する自動認識技術であるＲＦＩＤ（Ｒａｄｉｏ  Ｆｒｅｑｕｅｎｃｙ  Ｉｄｅｎｔｉｆｉｃａｔｉｏｎ）を利用して、質問器１０２には、図示されていないリーダ／ライタ機能を備え、電源コード１０４には、図示されていないＩＣチップとアンテナからなるＲＦＩＤタグを内部に備え、図１に示すように、質問器１０２と電源コード１０４との間を無線通信する。
【００２０】
また、電源コード１０４は、雄型接続端子１０６及び雌型接続端子１０８を備えており、電源コード１０４に電力線の切断又は電力線間のショートが存在しているか否かを検査するために、質問器１０２と電源コード１０４との間で無線通信するときには、雄型接続端子１０６の電極を接続しておく。
質問器１０２は、通信可能な範囲（以下、「通信エリア」と呼ぶ）に存在する電源コード１０４へ、電源コード１０４のＲＦＩＤタグが正常に動作しているかを確認する。また、電源コード１０４は、質問器１０２からの確認要求に基づいて、対応する応答を質問器１０２へ送信する。以下、通信エリア内に存在する電源コード１０４は、１個であるとして説明する。
【００２１】
電源コード検査装置１００は、電源コード１０４に内蔵されている電力線の断線又は電力線間のショート（以下、「電力線の不具合」という）により、質問器１０２と電源コード１０４との間の通信が不能となる。これにより、通信不能の電源コード１０４を、電力線の不具合が存在する電源コードであると認識する。また、電源コード１０４に表示部１１０を備え、更に図示されていないＩＣチップとサブアンテナからなる表示用のＲＦＩＤタグを電源コード１０４の内部に備え、電力線の不具合が存在するときに、質問器１０２からの表示要求を、サブアンテナを介して受信し、受信した表示要求に基づいて、電気泳動素子を利用した表示部１１０の表示部分を、常に表示させる。
【００２２】
図２は、電源コード１０４の雄型接続端子１０６の概略図の一例である。
図２に示すように、雄型接続端子１０６の一方の電極２０２に電力線２１２の一端が接続され、更に電力線２１２の一部がアンテナのコイル部２０６を構成している。また、雄型接続端子１０６の他方の電極２０４に電力線２１４一端が接続されている。表示用のＲＦＩＤタグのＩＣチップ２０８の２つのアンテナ接続端子には、サブアンテナ２１０の両端が接続され、ＩＣチップ２０８の２つの接続端子には、表示部１１０の２本の電力線が接続されている。
【００２３】
図３は、電源コード１０４の雌型接続端子１０８の概略図の一例である。
図３に示すように、雄型接続端子１０６の一方の電極２０２に接続されている電力線２１２の一部が、アンテナのコイル部３０６を構成している。アンテナのコイル部３０６の一端が、ＲＦＩＤタグのＩＣチップ３０８の一方のアンテナ接続端子に接続されている。また、雄型接続端子１０６の他方の電極２０４に接続されている電力線２１４の他端が、ＩＣチップ３０８の他方のアンテナ接続端子に接続されている。
【００２４】
また、ＩＣチップ３０８の２つの接続端子には、雌型接続端子１０８の一方の電極３０２に接続されている電力線３１２の一端と、雌型接続端子１０８の他方の電極３０４に接続されている電力線３１４の一端とが接続されている。
従って、図２に示した雄型接続端子１０６の電極２０２と電極２０４とを接続させることにより、コイル部２０６とコイル部３０６からなるループアンテナが形成される。
【００２５】
図４は、電源コード１０４の機能ブロック図の一例である。
図４に示すように、電源コード１０４は、受信復調部４０２、応答器制御部４０４、メモリ部４０６、送信部４０８、電力生成部４１０、サブアンテナ受信復調部４２２、サブアンテナ制御部４２４、サブアンテナ電力生成部４２６、アンテナ４００、サブアンテナ２１０及び表示部１１０を備えている。
【００２６】
受信復調部４０２は、電源コード１０４に内蔵しているＲＦＩＤタグの動作の確認要求を、アンテナ４００を介して、質問器１０２から所定の周波数帯域の電磁波を利用して無線受信する。
応答器制御部４０４は、受信復調部４０２によって質問器１０２から受信した動作の確認要求に基づいて、応答情報に必要な情報をメモリ部４０６より取得して、ＲＦＩＤタグが正常に動作している応答情報を生成する。例えば、ＲＦＩＤタグのＲＦＩＤタグ情報をメモリ部４０６より取得して、取得したＲＦＩＤタグ情報に基づいた応答情報を生成する。
【００２７】
送信部４０８は、応答器制御部４０４によって生成された応答情報を、質問器１０２へ、アンテナ４００を介して無線送信する。
電力生成部４１０は、質問器１０２からの確認要求を受信すると、この確認要求の搬送波から駆動用の電力を生成して、これをＲＦＩＤタグの各部に供給する。
【００２８】
サブアンテナ受信復調部４２２は、電源コード１０４に電力線の不具合が存在することを表示部１１０に表示するための表示要求を、サブアンテナ２１０を介して、質問器１０２から所定の周波数帯域の電磁波を利用して無線受信する。ここで、サブアンテナ受信復調部４２２が受信する電磁波の周波数帯域は、受信復調部４０２が受信する電磁波の周波数帯域とは異なる。
【００２９】
サブアンテナ制御部４２４は、サブアンテナ受信復調部４２２によって受信した質問器１０２からの表示要求に基づいて、電源コード１０４に電力線の不具合が存在することを表示部１１０に表示させる。即ち、表示部１１０の表示部分を表示させる。
サブアンテナ電力生成部４２６は、質問器１０２からの表示要求を受信すると、この表示要求の搬送波から駆動用の電力を生成して、これを表示用のＲＦＩＤタグの各部に供給する。
【００３０】
図５は、質問器１０２の機能ブロック図の一例である。
図５に示すように、質問器１０２は、データ送信部５０２、データ受信部５０４、制御部５０６、メモリ部５０８及びアンテナ５００を備えている。
データ送信部５０２は、アンテナ５００を介して、通信エリア内に存在する電源コード１０４へ、電源コード１０４に内蔵されているＲＦＩＤタグの動作の確認要求を無線通信にて実行する。また、データ送信部５０２は、アンテナ５００を介して、ＲＦＩＤタグの動作の確認要求に対して応答のなかった電源コード１０４へ、電力線の不具合が存在することを表示部１１０に表示するための表示要求を無線通信にて実行する。ここで、確認要求の送信は、ＲＦＩＤタグによって受信可能な電磁波の周波数帯域とし、表示要求の送信は、表示用のＲＦＩＤタグによって受信可能な電磁波の周波数帯域として、異なる電磁波の周波数帯域を利用する。
【００３１】
データ受信部５０４は、アンテナ５００を介して、ＲＦＩＤタグの動作の確認要求に対する応答情報を、通信エリア内に存在する電源コード１０４から無線受信する。
制御部５０６は、通信エリア内に存在する電源コード１０４に内蔵されているＲＦＩＤタグの動作の確認要求をするための送信情報に必要な情報をメモリ部５０８より取得し、取得した情報に基づいて、確認要求をするための送信情報を生成する。また、制御部５０６は、データ送信部５０２によって送信された電源コード１０４に内蔵されているＲＦＩＤタグの動作の確認要求に対する、電源コード１０４からの応答の有無を監視し、電力線に不具合の存在する電源コード１０４を識別する。また、制御部５０６は、電力線に不具合の存在する電源コードであることを表示部１１０に表示させるための表示要求の送信情報に必要な情報をメモリ部５０８より取得し、取得した情報に基づいて、表示要求をするための送信情報を生成する。
【００３２】
図６は、質問器１０２の制御部５０６による、電源コード１０４の検査処理の一例を示すフローチャートである。
図６に示すように、まず、制御部５０６は、通信エリア内に存在する電源コード１０４へ、ＲＦＩＤタグの動作の確認要求を送信し（Ｓ６０２）、この動作の確認要求に対する応答を受信したか否かを判定する（Ｓ６０４）。動作確認の応答を受信した場合（Ｓ６０４；Ｙｅｓ）は、ステップＳ６０２へ戻り、所定の時間待機する。一方、動作確認の応答を受信しなかった場合（Ｓ６０４；Ｎｏ）は、動作確認の応答要求をしてからの経過時間を算出し（Ｓ６０６）、算出した経過時間が、所定の動作確認応答判定時間以内であるか否かを判定する（Ｓ６０８）。
【００３３】
算出した経過時間が、所定の動作確認応答判定時間以内である場合（Ｓ６０８；Ｙｅｓ）は、ステップＳ６０４へ戻り、所定の時間待機する。一方、算出した経過時間が、所定の動作確認応答判定時間を過ぎた場合（Ｓ６０８；Ｎｏ）は、通信エリア内に存在する電源コード１０４が、電力線に不具合が存在する電源コードであること表示器１１０に表示させるための表示要求を送信し（Ｓ６１０）、処理を終了する。
【００３４】
図７は、電源コード１０４の応答器制御部４０４による動作の確認要求を受信したときの受信処理の一例を示すフローチャートである。
図７に示すように、まず、質問器１０２からのＲＦＩＤタグの動作の確認要求を受信し（Ｓ７０２）、ＲＦＩＤタグが正常である応答情報を生成する（Ｓ７０４）。最後に、生成した応答情報を質問器１０２へ送信し（Ｓ７０６）、処理を終了する。
【００３５】
図８は、電源コード１０４のサブアンテナ制御部４２４による表示要求を受信したときの受信処理の一例を示すフローチャートである。
図８に示すように、まず、電力線に不具合の存在する電源コードであることを表示部１１０に表示させるための表示要求を、質問器１０２から受信し（Ｓ８０２）、表示器１１０の表示部分を表示させる（Ｓ８０４）、処理を終了する。
【００３６】
次に、本実施の形態の動作を説明する。
図９は、正常な電源コード１０４の場合における、電源コード１０４と質問器１０２とによる電源コード検査処理の動作を示す図である。
図９に示すように、まず、質問器１０２は、通信エリア内に存在する電源コード１０４へ、電源コード１０４に内蔵されているＲＦＩＤタグの動作の確認要求を送信し、確認要求に対する応答を監視する（Ｓ９０２）。
【００３７】
電源コード１０４は、ＲＦＩＤタグの動作の確認要求を受信した場合（Ｓ９２２）、ＲＦＩＤタグが正常動作していること示す応答情報を質問器１０２へ送信し（Ｓ９２４）し、処理を終了する。
質問器１０２は、電源コード１０４からの応答情報を受信し（Ｓ９０４）、処理を終了する。
【００３８】
図１０は、電力線に不具合のある電源コード１０４の場合における、電源コード１０４と質問器１０２とによる電源コード検査処理の動作を示す図である。
図１０に示すように、まず、質問器１０２は、通信エリア内に存在する電源コード１０４へ、電源コード１０４に内蔵されているＲＦＩＤタグの動作の確認要求を送信し、確認要求に対する応答を監視する（Ｓ９２２）。  質問器１０２は、所定の動作確認応答判定時間が経過しても、電源コード１０４からの応答がなかった場合（Ｓ９４４；Ｙｅｓ）は、電力線に不具合の存在する電源コードであることを、表示部１１０に表示させるための表示要求を送信し（Ｓ９４６）、処理を終了する。
【００３９】
電源コード１０４は、表示要求を受信した場合（Ｓ９６２）、表示器１１０の表示部分を表示させ（Ｓ９６４）、処理を終了する。
上述したように、電源コード検査装置１００において、電源コード１０４には、受信復調部４０２、応答器制御部４０４、メモリ部４０６、送信部４０８、電力生成部４１０、サブアンテナ受信復調部４２２、サブアンテナ制御部４２４、サブアンテナ電力生成部４２６、アンテナ４００、サブアンテナ２１０及び表示部１１０を備え、質問器１０２には、データ送信部５０２、データ受信部５０４、制御部５０６、メモリ部５０８及びアンテナ５００を備えることにより、電力線の断線又は電力線間のショートが存在している電源コード１０４を比較的容易に認識することができる。
【００４０】
従って、電力線の断線又は電力線間のショートが存在していると認識した電源コード１０４を検査ラインから取り除くことができる。また、検査員等が、電力線に電力を供給するために電源プラグ１０４をコンセントへ差し込む等の作業をする必要がないことから、電源コードの検査作業にかかる時間を低減させることができる。
【００４１】
上述の実施の形態において、質問器１０２の制御部５０６は、状態判定手段に対応する。更に、質問器１０２の制御部５０６は、応答監視手段、状態認識手段及び表示要求手段に対応する。また、電源コード１０４の表示部１１０は、表示器に対応し、受信復調部４０２、応答器制御部４０４、メモリ部４０６、送信部４０８、電力生成部４１０及びアンテナ４００は、ＲＦＩＤタグに対応し、サブアンテナ受信復調部４２２、サブアンテナ制御部４２４、サブアンテナ電力生成部４２６及びサブアンテナ２１０は、表示用のＲＦＩＤタグに対応する。
【００４２】
また、上述の実施の形態において、通信エリア内に電源コード１０４が１個存在する場合について説明したが、通信エリア内に電源コードが複数個存在していても良い。例えば、質問器１０２は、電源コードの検査を開始する前に、通信エリア内に存在する電源コード１０４に内蔵されているＲＦＩＤタグのＲＦＩＤタグ情報を、メモリ部５０８に記憶しておき、通信エリア内に存在する全ての電源コード１０４に対して、ＲＦＩＤタグの動作の確認要求を送信する。
【００４３】
送信した確認要求に対する応答情報としてＲＦＩＤタグ情報を送信してもらうことにより、メモリ部５０８に記憶している通信エリア内に存在する全ての電源コード１０４に内蔵されているのＲＦＩＤタグのＲＦＩＤタグ情報に基づいて、動作確認要求の無かった電源コード１０４を特定し、特定した電源コード１０４に内蔵している表示用のＲＦＩＤタグに対して、電力線に不具合が存在する電源コードであることを示す表示要求を送信する。このようにすれば、通信エリア内に電源コードが複数個存在していても、電源コードを検査することができる。
【００４４】
また、上述の実施の形態においては、電源コード１０４に電力線の切断又は電力線間のショートが存在しているか否かを検査するために、雄型接続端子１０６の電極を接続させたが、雄型接続端子１０６と雌型接続端子１０８とを接続してもよい。
また、上述の実施の形態においては、電源コード１０４に表示部１１０を備えて、電力線の不具合が存在する電源コード１０４の表示部１１０の表示部分を表示させたが、質問器１０２に表示部を備え、電力線の不具合が存在する電源コード１０４の電源コードを特定する情報を表示することも可能である。
【００４５】
また、上述の実施の形態においては、電源コード１０４に表示部１１０を備えて、電力線の不具合が存在する電源コード１０４の表示部１１０の表示部分を表示させて、検査員等に認識させるようになっているが、電力線の不具合が存在する電源コード１０４を検査ラインから取り除く手段を備え、質問器１０２による電力線の不具合があるか否かの判定結果に基づいて、電源コード１０４を、電力線に不具合のあるものと無いものとに検査ライン上で分別するようにしても良い。
【００４６】
また、上述の実施の形態において、電源コード１０４は、雄型接続端子と雌型接続端子とを備えているが、電極と電力線とを有するコードを備えているもの（例えば、マウス、キーボード等）であれば良い。
また、上述の実施の形態において、電源コード１０４のメモリ部４０６及び質問器１０２のメモリ部５０８はＦｅＲＡＭであってもよい。
【００４７】
なお、上述の実施態様は説明のためのものであり、本発明の範囲を制限するものではない。従って、当業者であればこれらの各要素もしくは全要素をこれと均等なものによって置換した実施態様を採用することが可能であるが、これらの実施態様も本発明の範囲に含まれる。
【図面の簡単な説明】
【図１】電源コードと質問器とのＲＦＩＤを利用した通信を用いた電源コード検査装置の概念図の一例。
【図２】電源コードの雄型接続端子の概略図の一例。
【図３】電源コードの雌型接続端子の概略図の一例。
【図４】電源コードの機能ブロック図の一例。
【図５】質問器の機能ブロック図の一例。
【図６】質問器の制御部による、電源コードの検査処理の一例を示すフローチャート。
【図７】電源コードの応答器制御部による動作の確認要求を受信したときの受信処理の一例を示すフローチャート。
【図８】電源コードのサブアンテナ制御部による表示要求を受信したときの受信処理の一例を示すフローチャート。
【図９】正常な電源コードの場合における、電源コードと質問器とによる電源コード検査処理の動作を示す図。
【図１０】電力線に不具合のある電源コードの場合にける、電源コードと質問器とによる電源コード検査処理の動作を示す図。
【符号の説明】
１００…電源コード検査装置、  １０２…質問器、  １０４…電源コード、  １０６…雄型接続端子、  １０８…雌型接続端子、  １１０…表示部、  ２０２…電極、  ２０４…電極、  ２０６…アンテナのコイル部、  ２０８…ＩＣチップ、  ２１０…サブアンテナ、  ２１２…電力線、  ２１４…電力線、  ３０２…電極、  ３０４…電極、  ３０６…アンテナのコイル部、  ３０８…ＩＣチップ、  ３１２…電力線、  ３１４…電力線、  ４００…アンテナ、  ４０２…受信復調部、  ４０４…応答器制御部、  ４０６…メモリ部、  ４０８…送信部、４１０…電力生成部、  ４２２…サブアンテナ受信復調部、  ４２４…サブアンテナ制御部、  ４２６…サブアンテナ電力生成部、  ５００…アンテナ、  ５０２…データ送信部、  ５０４…データ受信部、  ５０６…制御部、  ５０８…メモリ部
【図１】
2005050581.tif 000003
【図２】
2005050581.tif 000004
【図３】
2005050581.tif 000005
【図４】
2005050581.tif 000006
【図５】
2005050581.tif 000007
【図６】
2005050581.tif 000008
【図７】
2005050581.tif 000009
【図８】
2005050581.tif 000010
【図９】
2005050581.tif 000011
【図１０】
2005050581.tif 000012